(57)【要約】      （修正有）【課題】ＩＰエンコーダで構成される映像伝送システムにおける障害の監視／制御技術に関し、ＩＰエンコーダを用いた、ＮＭＳに依存しない無中断な映像伝送を実現する。【解決手段】複数のエンコーダ基本部２０１は、一方がアクティブ側、他方がホットスタンバイ側として構成される。設定情報保持部２０７は、アクティブ側の２０１の代替となる他のＩＰエンコーダ装置のＩＰアドレスを保持する。障害検出部２０２は、アクティブ側の２０１の障害を検出すると２０３に２０１の出力の停止を指示し、２０４に障害が検出された２０１のカウンタ値の出力を指示し、ｔｒａｐ信号送出部２０５にｔｒａｐ信号パケットの送出を指示する。ｔｒａｐ信号受信部２０６は、他のＩＰエンコーダ装置からトラップ信号パケットを受信し、それに格納されているカウンタ値を抽出し、ホットスタンバイ側の２０１に、抽出したカウンタ値に基づくエンコーディングの開始を指示する。【選択図】図２
2009232322.tif 000002
【特許請求の範囲】
【請求項１】
画像信号をエンコードしてＩＰネットワークに送出する機能を有するＩＰエンコーダ装置であって、
一方がアクティブ側、他方がホットスタンバイ側として構成され、それぞれ前記画像信号をエンコードして前記ＩＰネットワークに送出する複数のエンコーダ基本手段と、
前記アクティブ側のエンコーダ基本手段の代替となる他のＩＰエンコーダ装置のアドレス情報を保持する設定情報保持手段と、
前記エンコーダ基本手段におけるエンコーディングカウンタ値を検出するカウント抽出手段と、
前記エンコーダ基本手段の出力を停止する出力停止手段と、
前記カウント抽出手段から出力される前記エンコーディングカウンタ値が格納され、前記設定情報保持手段が保持する前記アドレス情報が宛先情報として格納されたトラップ信号パケットを他の前記ＩＰエンコーダ装置が接続されるネットワークに送出するトラップ信号送出手段と、
アクティブ側の前記エンコーダ基本手段における障害を検出すると共に、該障害の検出時に、前記出力停止手段に前記障害が検出されたエンコーダ基本手段の出力の停止を指示し、前記カウント抽出手段に前記障害が検出されたエンコーダ基本手段における前記エンコーディングカウンタ値の出力を指示し、前記トラップ信号送出手段に前記トラップ信号パケットの送出を指示する障害検出手段と、
他の前記ＩＰエンコーダ装置から前記トラップ信号パケットを受信し、該トラップ信号パケットに格納されている前記エンコーディングカウンタ値を抽出し、ホットスタンバイ側の前記エンコーダ基本手段に、前記抽出したエンコーディングカウンタ値に基づくエンコーディングの開始を指示するトラップ信号受信手段と、
を含むことを特徴とするＩＰエンコーダ装置。
【請求項２】
前記トラップ信号送出手段は、前記トラップ信号パケットに、前記エンコーディングカウンタ値をＣｏｎｔｉｎｕｉｔｙ  Ｃｏｕｎｔｅｒ値として設定する、
ことを特徴とするＩＰエンコーダ装置。
【請求項３】
請求項１又は２の何れか１項に記載の複数台からなるＩＰエンコーダ装置と、
複数種類の前記画像信号を前記ＩＰエンコーダ装置のアクティブ側又はホットスタンバイ側のエンコーダ基本手段に振り分けるマトリクススイッチ手段と、
を少なくとも含み、
前記設定情報により対応付けられる２つのＩＰエンコーダ装置のアクティブ側の前記エンコーダ基本手段とホットスタンバイ側の前記エンコーダ基本手段には、前記マトリクススイッチ手段により同一の前記画像信号が入力されるように構成される、
ことを特徴とするＩＰエンコーダを用いた無中断映像伝送システム。
【請求項４】
画像信号をエンコードしてＩＰネットワークに送出する機能を有するコンピュータに、
一方がアクティブ側、他方がホットスタンバイ側として構成され、それぞれ前記画像信号をエンコードして前記ＩＰネットワークに送出する複数のエンコーダ基本機能と、
前記アクティブ側のエンコーダ基本機能の代替となる他のＩＰエンコーダ装置又はＩＰエンコード機能を有するコンピュータのアドレス情報を保持する設定情報保持機能と、
前記エンコーダ基本機能におけるエンコーディングカウンタ値を検出するカウント抽出機能と、
前記エンコーダ基本機能の出力を停止する出力停止機能と、
前記カウント抽出機能から出力される前記エンコーディングカウンタ値が格納され、前記設定情報保持機能によって保持される前記アドレス情報が宛先情報として格納されたトラップ信号パケットを他の前記ＩＰエンコーダ装置又はＩＰエンコード機能を有するコン
ピュータが接続されるネットワークに送出するトラップ信号送出機能と、
アクティブ側の前記エンコーダ基本機能における障害を検出すると共に、該障害の検出時に、前記出力停止機能に前記障害が検出されたエンコーダ基本機能の出力の停止を指示し、前記カウント抽出機能に前記障害が検出されたエンコーダ基本機能における前記エンコーディングカウンタ値の出力を指示し、前記トラップ信号送出機能に前記トラップ信号パケットの送出を指示する障害検出機能と、
他の前記ＩＰエンコーダ装置又はＩＰエンコード機能を有するコンピュータから前記トラップ信号パケットを受信し、該トラップ信号パケットに格納されている前記エンコーディングカウンタ値を抽出し、ホットスタンバイ側の前記エンコーダ基本機能に、前記抽出したエンコーディングカウンタ値に基づくエンコーディングの開始を指示するトラップ信号受信機能と、
を実行させるためのプログラム。
【発明の詳細な説明】
【技術分野】
【０００１】
本発明は、画像符号化・復号化装置（以下、ＩＰエンコーダと表記）で構成される映像伝送システムにおける障害の監視／制御技術に関する。
【背景技術】
【０００２】
近年、アナログからデジタル放送への移行に伴い、放送業界においてはニュースやスポーツ中継等に際して高品質な映像収集が求められている。一方で、ネットワークの広帯域化、低価格化に伴い、従来の衛星回線を利用した映像中継・収集からブロードバンドネットワークを利用した映像中継・収集が増加している。このような背景の中において、カメラ等からの入力映像を圧縮してネットワークに伝送するＩＰエンコーダや、ネットワーク経由の圧縮映像データを受信・復号化してモニタに出力するＩＰデコーダはデジタル放送システムにおける重要な要素となっている。
【０００３】
デジタル放送のような映像伝送システムの分野において、ＩＰエンコーダの高信頼性を実現するためには、Ｎ＋１冗長構成をとるのが一般的である。
図７に従来システムでのＩＰエンコーダの一般的なＮ＋１での冗長構成図を示す。
【０００４】
＃Ａの加入者７００の宅内においては、各種映像端末装置から出力される映像コンテンツ信号は、マトリクススイッチ７０１を介して、＃１〜＃ｎの運用系ＩＰエンコーダ７０２に入力されて、圧縮されて出力される。また、＃ｎ＋１のＩＰエンコーダ７０２は、待機系装置としてマトリクススイッチ７０１に接続される。＃１〜＃ｎの各ＩＰエンコーダ７０２から出力された圧縮映像データは、図８に示されるように、ハブスイッチ７０３、ルータ７０４等を介して、ＩＰネットワーク７０７に出力され、放送センター等の＃Ｂの加入者７００に伝送される。
【０００５】
ＮＭＳ（Ｎｅｔｗｏｒｋ  Ｍａｎａｇｅｍｅｎｔ Ｓｙｓｔｅｍ）７０６は、マネジメントＬＡＮ７０５を介して、マトリクススイッチ７０１、＃１〜＃ｎ＋１のＩＰエンコーダ７０２、ハブスイッチ７０３、及びルータ７０４に接続され、各装置を監視する。
【０００６】
上述のように、運用系ＩＰエンコーダ７０２がＮ台（＃１〜＃ｎ）、待機系ＩＰエンコーダ７０２が１台（＃ｎ＋１）で構成される。
この状態で、例えば図９に示されるように、運用系のＩＰＯエンコーダ７０２（＃３）に障害、具体的には、電源ファン故障、温度異常、リンク障害等が発生した場合、ＩＰエンコーダ７０２（＃３）は、ＮＭＳ７０６に対してｓｎｍｐ（ｓｉｍｐｌｅ  ｎｅｔｗｏｒｋ  ｍａｎａｇｅｍｅｎｔ  ｐｒｏｔｏｃｏｌ）  ｔｒａｐ信号を送信する。
【０００７】
ＮＭＳ７０６は、図１０に示されるように、このｔｒａｐ信号を受信して、ＩＰエンコーダ７０２（＃３）の障害を検知し、該当するＩＰエンコーダ７０２（＃３）の設定情報を、待機系のＩＰエンコーダ７０２（＃ｎ＋１）に流し込んで、マトリクススイッチ７０１に指示を出して、＃３のＩＰエンコーダ７０２に接続されていた映像端末装置等を、＃ｎ＋１のＩＰエンコーダ７０２に接続し直す。これにより、冗長性が確保される。
【発明の開示】
【発明が解決しようとする課題】
【０００８】
一方で、このようなＮ＋１冗長構成を持った画像符号化装置の運用方式においては、次のような課題が考えられる。
１）映像伝送システムの分野における主要な課題として、システムを通じて伝送される
放送プログラムが障害によって中断してはならないということがあげられる。概して、ＩＰエンコーダ７０２を用いた従来のシステムにおいては、系の切替には時間がかかるため（以下２）を参照）、結果としてこの切替処理中は映像表示が中断されてしまう。
【０００９】
２）ＮＭＳ７０６は全ＩＰエンコーダ７０２の設定情報を保持している。障害発生後の現用系から待機系ＩＰエンコーダ７０２（＃ｎ＋１）への切替制御のためには、ＮＭＳ７０６がｔｒａｐ信号を受信した後に、障害機の設定情報を待機系ＩＰエンコーダ７０２（＃ｎ＋１）に流し込んで切替を行うため、系の切替に時間がかかってしまう。
【００１０】
３）障害発生時にＩＰエンコーダ７０２がＮＭＳ７０６に送信するｓｎｍｐ  ｔｒａｐパケットは、ｕｄｐ（Ｕｓｅｒ  Ｄａｔａｇｒａｍ  Ｐｒｏｔｏｃｏｌ）形式であるため再送機能がない。従って、ＮＭＳ７０６がルータ７０４を介して遠方にあるような場合、このｓｎｍｐ  ｔｒａｐパケットの到達信頼性は低い。そのためｉｎｂａｎｄ／ｏｕｔｂａｎｄ監視の両方式の場合において、ＩＰエンコーダ７０２の障害時にＮＭＳ７０６がｔｒａｐ信号を受信・検知できない可能性が存在する。
【００１１】
４）ＩＰエンコーダ７０２を他社ＮＭＳ７０６と相互接続させて運用監視／制御するためには、ＮＭＳ７０６側にＩＰエンコーダ７０２の切替制御に必要なカスタマイズが必要となる。これは、ＩＰエンコーダ７０２の切替制御用のコマンド仕様等がベンダ毎に異なるため、切替制御機能をＮＭＳ７０６に対して個別に作りこむ必要があることを意味する。但し、異種ベンダ製のＩＰエンコーダ７０２をシステムに混在させる必要がある場合には、一般的にはこのようなカスタマイズは行われず、ＮＭＳ７０６とＩＰエンコーダ７０２は同一ベンダの製品が採用されるケースが多く、個別のＮＭＳ７０６による監視／制御が行われている。
【００１２】
以上のように従来は、１）映像が中断する可能性、２）切替に時間がかかる、３）ｔｒａｐ信号を取りこぼす（受信できない）可能性等の課題があった。
【課題を解決するための手段】
【００１３】
本発明の課題は、上記１）、２）、３）、４）等の問題を解決するために、ＩＰエンコーダを用いた、ＮＭＳに依存しない無中断な映像伝送を実現するための監視／制御システムを提供することにある。
【００１４】
本発明の第１の態様は、画像信号をエンコードしてＩＰネットワークに送出する機能を有するＩＰエンコーダ装置又はＩＰエンコーダプログラムを前提とする。
複数のエンコーダ基本手段（２０１）は、一方がアクティブ側、他方がホットスタンバイ側として構成され、それぞれ画像信号をエンコードしてＩＰネットワーク（１０７）に送出する。
【００１５】
設定情報保持手段（２０７）は、アクティブ側のエンコーダ基本手段の代替となる他のＩＰエンコーダ装置のアドレス情報を保持する。
カウント抽出手段（２０４）は、エンコーダ基本手段におけるエンコーディングカウンタ値を検出する。
【００１６】
出力停止手段（２０３）は、エンコーダ基本手段の出力を停止する。
トラップ信号送出手段（２０５）は、カウント抽出手段から出力されるエンコーディングカウンタ値が格納され、設定情報保持手段が保持するアドレス情報が宛先情報として格納されたトラップ信号パケットを他のＩＰエンコーダ装置が接続されるネットワーク（１０５）に送出する。ここで、トラップ信号送出手段は、例えば、トラップ信号パケットに、エンコーディングカウンタ値をＣｏｎｔｉｎｕｉｔｙ  Ｃｏｕｎｔｅｒ値として設定する。
【００１７】
障害検出手段（２０２）は、アクティブ側のエンコーダ基本手段における障害を検出すると共に、その障害の検出時に、出力停止手段に障害が検出されたエンコーダ基本手段の出力の停止を指示し、カウント抽出手段に障害が検出されたエンコーダ基本手段におけるエンコーディングカウンタ値の出力を指示し、トラップ信号送出手段にトラップ信号パケットの送出を指示する。
【００１８】
トラップ信号受信手段（２０６）は、他のＩＰエンコーダ装置からトラップ信号パケットを受信し、そのトラップ信号パケットに格納されているエンコーディングカウンタ値を抽出し、ホットスタンバイ側のエンコーダ基本手段に、抽出したエンコーディングカウンタ値に基づくエンコーディングの開始を指示する。
【００１９】
本発明の第２の態様は、本発明の第１の態様における複数台からなるＩＰエンコーダ装置（１０２）と、複数種類の画像信号をＩＰエンコーダ装置のアクティブ側又はホットスタンバイ側のエンコーダ基本手段に振り分けるマトリクススイッチ手段（１０１）とを少なくとも含み、設定情報により対応付けられる２つのＩＰエンコーダ装置のアクティブ側のエンコーダ基本手段とホットスタンバイ側のエンコーダ基本手段には、マトリクススイッチ手段により同一の画像信号が入力させられるように構成されたＩＰエンコーダを用いた無中断映像伝送システムである。
【発明の効果】
【００２０】
本発明の態様の構成により、従来のＩＰエンコーダを用いた映像伝送システムにおいて課題であった切替時間や映像信号断となる課題を改善することが可能となる。
また、本発明の態様の構成により、障害発生時のｔｒａｐ出力にＣｏｎｔｉｎｕｉｔｙ
Ｃｏｕｎｔｅｒ値等の情報を含めることにより、デコーダ側でのＥｎｄ−ｔｏ−ｅｎｄでの映像の連続性を実現し、無中断な映像伝送を実現することが可能となる。
【００２１】
加えて、本発明の態様の構成により、障害時のＩＰエンコーダからのｓｎｍｐ  ｔｒａｐ出力を、待機系（ホットスタンバイ）のＩＰエンコーダ機が直接受け取ることにより、従来のＮＭＳからの切替処理と比較してより高速な切替を実現することが可能となる。
【００２２】
更に、本発明の態様の構成により、ホットスタンバイとしてＩＰエンコーダを待機させておくことにより、従来のＮＭＳからの切替処理と比較してより高速な切替を実現することが可能となる。
【００２３】
また、本発明の態様の構成により、ＩＰエンコーダ部の障害検知から切替えまでのプロセスをＩＰエンコーダ内にて実現できるため、他社ＮＭＳとの連携がより容易になり、異種ベンダ製品が混在する場合のシステムの複雑度を抑えることが可能となる。
【発明を実施するための最良の形態】
【００２４】
以下、図面を参照しながら、本発明を実施するための最良の形態を詳細に説明する。
図１に、ＩＰエンコーダを用いた無中継映像伝送を実現するための本発明の実施形態のシステム構成図を示す。図１において、加入者１００、マトリクススイッチ１０１、ハブスイッチ１０３、ルータ１０４、マネジメントＬＡＮ１０５、ＮＭＳ１０６、及びＩＰネットワーク１０７の各機能はそれぞれ、図７における７００、７０１、７０３、７０４、７０５、７０６、７０７の各部の機能と同じ働きをする。
【００２５】
図１において、ＩＰエンコーダ１０２は、マルチチャネル型エンコーダとし、１チャネル目（＃１＿１、＃２＿１、・・・、＃ｎ＿１）をアクティブ、２チャネル目（＃１＿２
、＃２＿２、・・・、＃ｎ＿２）をホットスタンバイとして、高速な切替が実現可能な構成とする。
【００２６】
＃１〜＃２の各ＩＰエンコーダ１０２は、アクティブ側（＃１＿１、＃２＿１、・・・、＃ｎ＿１）及びホットスタンバイ側（＃１＿２、＃２＿２、・・・、＃ｎ＿２）個別に、図１に示されるように、設定情報を保持している。各設定情報には、ｓｎｍｐ  ｔｒａｐの有効／無効を示す情報と、自分がｓｎｍｐ  ｔｒａｐを送信する先のアドレス情報（ＩＰアドレス）が設定される。例えば、アクティブ側のＩＰエンコーダ１０２（＃２＿１）の設定情報には、ｓｎｍｐ  ｔｒａｐの送信先として、ホットスタンバイ側のＩＰエンコーダ１０２（＃１＿２）とＮＭＳ１０６の各ＩＰアドレスが設定される。これに対応して、ホットスタンバイ側のＩＰエンコーダ１０２（＃１＿２）の設定情報には、ｓｎｍｐ  ｔｒａｐの送信先として、アクティブ側のＩＰエンコーダ１０２（＃２＿１）とＮＭＳ１０６の各ＩＰアドレスが設定される。
【００２７】
上記設定情報の設定によりペアとなったアクティブ側のＩＰエンコーダ１０２とホットスタンバイ側のＩＰエンコーダ１０２には、図１のマトリクススイッチ１０１により、同一の映像ソースの映像情報が入力される。
【００２８】
また、上記設定情報の設定により、本実施形態では、アクティブ側のＩＰエンコーダ１０２（＃１＿１、＃２＿１、・・・、＃ｎ＿１）の何れかに障害が発生した場合に、ＮＭＳ１０６だけではなく、障害が発生したＩＰエンコーダ１０２に対して予めペアとして設定されているホットスタンバイ側（＃１＿２、＃２＿２、・・・、＃ｎ＿２）の何れかに即座にｔｒａｐ信号が送信される。
【００２９】
更に、このｔｒａｐ信号には、デコーダ側での映像の連続性を実現するためのＣｏｎｔｉｎｕｉｔｙ  Ｃｏｕｎｔｅｒ値が含ませられることにより、映像信号等が途切れることのないアクティブ側からホットスタンバイ側のＩＰエンコーダ１０２への切替えが実施される。
【００３０】
図２は、＃ｉ番目（ｉは、１≦ｉ≦ｎの任意の番号）のＩＰエンコーダ１０２の詳細構成を示す構成図である。また、図３は、図２の各構成部分の制御動作を示す動作シーケンス図、図４及び図５はその動作概念図である。以下、これらの図を使って説明する。
【００３１】
ＩＰエンコーダ１０２は、アクティブ側（＃ｉ＿１）とホットスタンバイ側（＃ｉ＿２）の各ＩＰエンコーダ部２００を有し、それぞれ同じ構成を有するが、図２では、アクティブ側（＃ｉ＿１）のみ詳しく示してある。
【００３２】
即ち、ＩＰエンコーダ部２００は、エンコーダ基本部２０１、障害検出部２０２、出力停止部２０３、及びカウント抽出部２０４とから構成される。
エンコーダ基本部２０１は、マトリクススイッチ１０１（図１）から映像情報２０８を入力し、搭載されたＭＰＥＧモジュール等により映像を圧縮し、ＩＰパケットにカプセル化し、映像圧縮情報２０９を、ハブスイッチ１０３及びルータ１０４等を介してＩＰネットワーク１０７（共に図１参照）に向けて送出する。
【００３３】
また、エンコーダ基本部２０１は、エンコーディング動作時のカウンティング機能を有するものとする。
障害検出部２０２は、入力信号障害等の障害検出機能を有し、検出時（図３のＳ１、図４の(1)）には、障害情報を、出力停止部２０３（図３のＳ２−１）、カウント抽出部２０４（図３のＳ２−２）、及びｔｒａｐ信号送出部２０５（図３のＳ２−３）に出力する。
【００３４】
出力停止部２０３は、障害検出部２０２からの障害情報により映像出力を停止する。
カウント抽出部２０４は、映像圧縮時のエンコーディングカウンタ値を抽出する機能を有し、障害検出部２０２から障害情報を受け取ったタイミングで、エンコーディングカウンタ値をＣｏｎｔｉｎｕｉｔｙ  Ｃｏｕｎｔｅｒ値としてｔｒａｐ信号送出部２０５に出力する（図３のＳ３）。
【００３５】
ｔｒａｐ信号送出部２０５は、通常のＳＮＭＰに規定される障害情報に加えて、エンコーディングカウンタ値であるＣｏｎｔｉｎｕｉｔｙ  Ｃｏｕｎｔｅｒ値を含むｔｒａｐ信号パケットを、設定情報保持部２０７から設定されているホットスタンバイ側のＩＰエンコーダ１０２（図３のＳ４−１）及びＮＭＳ１０６（図３のＳ４−２）に送出する。図４の(2)では、アクティブ側＃２＿１のＩＰエンコーダ１０２にて障害が発生し、その障害情報が、ホットスタンバイ側＃１＿２のＩＰエンコーダ１０２とＮＭＳ１０６に通知される様子が示されている。
【００３６】
図６（ａ）は、ＵＤＰパケットに包含されて送出されるｔｒａｐ信号パケットの一般的なデータフォーマットを、図６（ｂ）は、本実施形態において送出されるｔｒａｐ信号パケットのデータフォーマットを示す。本実施形態では、ＵＤＰパケットにＣｏｎｔｉｎｕｉｔｙ  Ｃｏｕｎｔｅｒフィールド４０１が設けられ、ここにカウント抽出部２０４から通知されたＣｏｎｔｉｎｕｉｔｙ  Ｃｏｕｎｔｅｒ値が格納される。また、ａｇｅｎｔ  ａｄｄｒｅｓｓフィールド４０２には、設定情報保持部２０７から設定されているホットスタンバイ側のＩＰエンコーダ１０２のＩＰアドレス、又はＮＭＳ１０６のＩＰアドレスが設定される。
【００３７】
ｔｒａｐ信号受信部２０６は、アクティブ側ＩＰエンコーダ１０２からの障害情報ならびにエンコーディングカウンタ値であるＣｏｎｔｉｎｕｉｔｙ  Ｃｏｕｎｔｅｒ値を受信し、同カウンタ値をホットスタンバイ側ＩＰエンコーダ部２００（＃ｉ＿２）内のエンコーダ基本部２０１（＃ｉ＿２）に出力する（図３のＳ５、図４の(3)）。
【００３８】
ホットスタンバイ側のエンコーダ基本部２０１（＃ｉ＿２）は、ｔｒａｐ信号受信部２０６から入力されたエンコーディングカウンタ値に基づいてエンコーディングを開始し、映像圧縮情報２０９（図２）を設定情報保持部２０７から設定されたＩＰアドレスに向けて送出開始する（図５の(5)）。
【００３９】
このように、ホットスタンバイ側のエンコーダ基本部２０１（＃ｉ＿２）は、Ｃｏｎｔｉｎｕｉｔｙ  Ｃｏｕｎｔｅｒ値に基づいて、映像の連続性を保ちつつ途切れることなくエンコーディングを障害発生元のＩＰエンコーダ１０２から引き継ぐことができる。
【００４０】
設定情報保持部２０７（＃ｉ）は、図１に示したアクティブ側及びホットスタンバイ側の各設定情報を保持し、ＮＭＳ１０６からの情報を保持し、各ＩＰエンコーダ部２００内のエンコーダ基本部２０１（＃ｉ＿１及び＃ｉ＿２）に対して、映像圧縮情報２０９の出力先ＩＰアドレスを設定する。また、設定情報保持部２０７は、ｔｒａｐ信号送出部２０５に対して、ｔｒａｐ信号発行の有効／無効、及びｔｒａｐ信号の送出先ＩＰアドレス（図１参照）を設定する。
【００４１】
なお、ホットスタンバイ側のＩＰエンコーダ部２００（＃ｉ＿２）にもアクティブ側と同様のｔｒａｐ信号送出部２０５（＃ｉ＿２）が接続され、逆に、アクティブ側のＩＰエンコーダ部２００（＃ｉ＿１）にもホットスタンバイ側と同様のｔｒａｐ信号受信部２０６（＃ｉ＿１）が接続されるが、それぞれ図２では省略してある。
【００４２】
ＮＭＳ１０６（図１）は、障害が発生したＩＰエンコーダ１０２から上記ｔｒａｐ信号
パケットを受信すると、障害発生元のＩＰエンコーダ１０２内の設定情報保持部２０７に対して、ＩＰアドレスとｔｒａｐ信号の無効設定を通知する（図３のＳ６−１）。障害発生元のＩＰエンコーダ１０２において、設定情報保持部２０７は、上記通知を出力停止部２０３及びｔｒａｐ信号送出部２０５に設定する。
【００４３】
ここで、障害発生元のＩＰエンコーダ１０２は、出力のコンフリクト（混線）を避けるために、障害検出時には自立的にシャットダウンするように構成することができる（図５の(4)）。
【００４４】
また、ＮＭＳ１０６は、新たにエンコードを開始するＩＰエンコーダ１０２内の設定情報保持部２０７に対して、映像送出先のＩＰアドレスとｔｒａｐ信号の送出先情報を通知する（図３のＳ６−２）。
【００４５】
なお、新たにエンコードを開始するＩＰエンコーダ１０２は、障害発生元から直接障害通知のｔｒａｐ信号パケットを受信しているため、ＮＭＳ１０６からの通知に先立って、エンコーディング処理を開始している。従って、ＮＭＳ１０６によるＩＰエンコーダ１０２への設定情報の流し込みは必ずしも必要はない。これは、例えば他社ＮＭＳ１０６とＩＰエンコーダ１０２を相互接続させたシステムを構築する場合に、ＩＰエンコーダ１０２の制御のためのカスタマイズが不要になるなどの効果が考えられる。
【００４６】
また、障害発生後（及び障害復旧後）においては、残りのＩＰエンコーダ１０２群は、入力映像ソースの優先度にあわせた自立的なＩＰエンコーダペア（アクティブ／ホットスタンバイ）の再構成を行うように構成することができる。
【００４７】
なお、ホットスタンバイ側のＩＰエンコーダ１０２がｔｒａｐ信号パケットを検出できないワーストケースが発生したような場合には、障害発生元のＩＰエンコーダ１０２がシャットダウンした後のＮＭＳ１０６からの定期ポーリング監視にて障害を検知するように構成することができる。
【図面の簡単な説明】
【００４８】
【図１】本発明の実施形態の全体システム構成図である。
【図２】本発明の実施形態におけるＩＰエンコーダの構成図である。
【図３】本発明の実施形態の動作シーケンスである。
【図４】本発明の実施形態の動作説明図（その１）である。
【図５】本発明の実施形態の動作説明図（その２）である。
【図６】本発明の実施形態におけるｔｒａｐ信号パケットのデータフォーマット図である。
【図７】従来技術におけるＩＰエンコーダの一般的な冗長構成イメージを示す図である。
【図８】従来技術における通常運用時の映像ストリームの流れを示す図である。
【図９】従来技術における障害発生時の切替動作イメージ図（その１）である。
【図１０】従来技術における障害発生時の切替動作イメージ図（その２）である。
【符号の説明】
【００４９】
１００、７００  加入者
１０１、７０１  マトリクススイッチ
１０２、７０２  ＩＰエンコーダ
１０３、７０３  ハブスイッチ
１０４、７０４  ルータ
１０５、７０５  マネジメントＬＡＮ
１０６、７０６  ＮＭＳ（ネットワークマネジメントシステム）
１０７、７０７  ＩＰネットワーク
２００  ＩＰエンコーダ部
２０１  エンコーダ基本部
２０２  障害検出部
２０３  出力停止部
２０４  カウント抽出部２０４
２０５  ｔｒａｐ信号送出部
２０６  ｔｒａｐ信号受信部
２０７  設定情報保持部
２０８  映像情報
２０９  映像圧縮情報
【図１】
2009232322.tif 000003
【図２】
2009232322.tif 000004
【図３】
2009232322.tif 000005
【図４】
2009232322.tif 000006
【図５】
2009232322.tif 000007
【図６】
2009232322.tif 000008
【図７】
2009232322.tif 000009
【図８】
2009232322.tif 000010
【図９】
2009232322.tif 000011
【図１０】
2009232322.tif 000012